(57)【要約】      （修正有）【課題】繊維材系綴じ紐を使って書類やその他の被結束体を結ばないで結滞の出来る綴じ紐にすること。【解決手段】紐状でなる繊維材系の綴じ紐１を合成樹脂成型品での細長い棒状の紐固定部２と留め部３の一片から成り、該紐固定部２の側面に開口する穴２ａに綴じ紐１の端部を差し込み固定し、留め部３には、その片面或いは両面に位置して綴じ紐１の他方の端子１ａがやや固めに嵌め込みと取り外し自在な細長い溝部３ａを設け其の溝端部３ｃに近接してロック穴３ｂを開口してなる留め具１０１で有って、此れらの留め具１０１は綴じ紐１を結ぶ事なく，端子１ａをロック穴３ｂに通し、留め部３の溝部３ａに嵌め込むだけで、手軽にロックとアンロックで結ぶ事なく書類綴じや非結束体等を結滞可能にした構成にする。【選択図】図１
0003119073.tif 000002
【実用新案登録請求の範囲】
【請求項１】
紐状でなる繊維材系綴じ紐（１）において、合成樹脂成型品での細い棒状の紐固定部（２）と留め部（３）の一片から成り、該紐固定部（２）の側面に開口する穴（２ａ）に綴じ紐（１）の端部を差し込み固定し、留め部（３）には、その片面或いは両面に位置して綴じ紐（１）の他方の端子（１ａ）がやや固めに嵌め込みと取り外し自在な細長い溝部（３ａ）を設け其の溝端部（３ｃ）に近接してロック穴（３ｂ）を開口してなる留め具（１０１）で有って、此れらの留め具（１０１）は綴じ紐（１）を結ぶ事なく、端子（１ａ）をロック穴（３ｂ）に通し、留め部（３）の溝部（３ａ）に嵌め込むだけで、手軽にロックとアンロックで結ぶ事なく書類綴じや非結束体等を結滞可能にしたことを特徴とする綴じ紐用留め具。
【請求項２】
前期する紐固定部（２）と紐留め部（３）でなる留め具（１０１）を合成樹脂成型品での角状体の留め具（１０１′）にし、此れらの片面に綴じ紐（１′）の両方の端子（１ａ′）がやや固めに嵌め込みと取り外し自在な細長い溝部（３３ａ）を並列に設け其の溝底部（３３ｄ）の一部に綴じ紐（１′）の通過するロック穴（３３ｂ）を開口した留め具（１０１′）にした事を特徴とする請求項１記載の綴じ紐用留め具。
【請求項３】
前記する留め具（１０１）（１０１′）のＡＢＳ等の合成樹脂成型品を伸縮自在でなるウレタンゴム等の材質にし、溝部（３ａ）（３３ａ）に嵌め込まれる綴じ紐（１）（１′）が弾発力挟着可能にしたことを特徴とする請求項１及び２項記載の綴じ紐用留め具。
【請求項４】
前記する綴じ紐（１）（１′）の繊維材系綴じ紐を伸縮自在でなるウレタンゴム等の素材にし、此れらが弾発力にて溝部（３ａ）（３３ａ）との結合力を強着可能にしたことを特徴とする請求項１、２及び３項記載の綴じ紐用留め具。
【考案の詳細な説明】
【技術の分野】
【０００１】此の考案はプリントや印刷された書類を厚手の表紙で挟みこれらをホチキスやファイルルを使わずに、事務具の穴開けパンチで２個の穴を開け、此れらの穴に差し込んで綴じ込みする綴じ紐の端を結ばずに綴じる事の出来る綴じ紐用の留め具に関し、且つ此れらの留め具で非結束体を結滞するのに巻き付けた綴じ紐（紐）を結ぶ事なく結滞する留め具し関する。
【背景技術】
【０００２】此の種の従来の技術として一般に知られる綴じ紐１″は図６で示す様に書類や伝票、資料等の整理保存するのに書類の裏と表に厚手の表紙を使って穴開けパンチで開口した綴じ穴Ａに差し込まれた綴じ紐１″の両方の端子１ａ″を蝶結び等で固く結ばれて書類が綴じ込まれファイルされ、且つ紐での非結束体Ｃの結滞では巻き付けた紐の両端を結んで行う。（図示せず）【０００３】そして此れらの細長く紐状に撚られた綴じ紐１″の端子１ａ″のほつれを防ぐのに両端子がコーティングされほつれにくくしたもので、材質的には撚り糸の原糸は天然繊維、合成繊維ポリエステルなどで且つカラフルに着色仕上げの綴じ紐１″の構成である。【０００４】この様な構成での綴じ紐１″の長さも４０ＣＭ、７０ＣＭ等様々な長さに設定されて書類の適当な重ね綴じが出来書類厚みも綴じ紐１″が結び付けが出来る範囲内に増厚の出来る等で使用される。且つ非結束体Ｃを結滞する綴じ紐１″は任意に綴じ紐１″の長さが個別に切断され使われる。【０００５】此れらの綴じ紐１″は作り込みのバインダー付きの書類ファイルと違い、身直なボール紙を２枚使って手軽にローコストで保管する書類や処分するファイルとして広く使用される。且つ他の綴じ紐１″での非結束体Ｃの結滞は農作物やガーデニングでの植物を吊り棚や支え棒等や大物小物の物品での結滞等に広く使われる。
【考案の開示】
【考案が解決しようとする課題】
【０００６】しかしながら上記する従来技術の場合は綴じ紐を書類に穴開けパンチで開口した綴じ穴に差し込んで、両端子を表紙の表面で蝶結び等は指使い加減でかた過ぎたり、弱すぎたりすることで書類の綴じ込みが緩んでほどけたり、逆にほどけにくいなどの課題がある。【０００７】そして又綴じ紐の素材とされる天然繊維材綿１００パーセントの他に合成繊維ポリアセタール、ポリエステル等の様に硬めで結びにくく固結びが出来ない為不測に解けてしまう等の課題がある。
【課題を解決するための手段】
【０００８】この考案はかかる欠点ともなる課題を解決する為に請求項１を図１、図２、図３で述べるように紐状でなる繊維材系綴じ紐１に、合成樹脂成型品での細い棒状の紐固定部２と留め部３の一辺からなり、該紐固定部２の側面に開口する穴２ａ等に綴じ紐１の端部を差し込み固定し、留め部３には、その片面或いは両面に位置して綴じ紐１の他方の端子がやや固めに嵌め込みと取り外し自在な細長い溝部３ａを設け其の溝端部３ｃに近接してロック穴３ｂを開口してなる留め具１０１で有って、此れらの留め具１０１は結ぶ事なく、端子１ａをロックとアンロックとで書類の綴じや非結束体等の結滞可能な構成である。【０００９】また請求項２では図４（ａ）（ｂ）、図５で述べるように紐固定部２と紐留め部３でなる留め具１０１を合成樹脂成型品での角状体の留め具１０１′にし、此れらの片面に綴じ紐１′の端子１ａ′がやや固めに嵌め込みと取り外し自在な細長い２本の溝部３３ａを並列に設け其の溝底部３３ｄの一部に綴じ紐１′が楽に通過するロック穴３３ｄを開口した留め具１０１′にした構成とし、綴じ紐１′の両端は該留め具１０１′に結合自在での構成である。【００１０】次に請求項３では前記する留め具１０１、１０１′のＡＢＳ等を素材とする固形体での合成樹脂成型品を伸縮自在でなるウレタンゴム等の素材にし、溝部３ａ，３３ａに嵌め込まれる綴じ紐１、１′を弾発力挟着可能な構成にする。【００１１】次に請求項４では前期する綴じ紐１、１′の繊維材系での素材を伸縮自でなるウレタンゴム等の素材にし、此れらが弾発力にて溝部３ａ、３３ａとの結合力を更に強挟着な構成にする。
【考案の効果】
【００１２】本考案は上述の様に構成作用するので次の優れて効果を奏する。即ち請求項１で述べるように書類や伝票、パンフレット、プリント、等の整理保存する際に此れらを綴じるのに、此れらにパンチで穴を開け、綴じ紐の両端を此の穴に差し込み指先を使って結ぶ事の無く安直に綴じ紐の端子を留め具のロック穴を通し溝部にきつめに嵌め込むだけでホールドが出来事で結びでのトラブルのない綴じ紐用留め具を提供出来る。【００１３】また請求項２で述べるように個別に調達する角状体の留め具と綴じ紐を使うことで、非結束体に見合う紐の長さにループ束に用意された綴じ紐を使って其の都度必要分だけ長さを決め乍らカットして結滞の出来る綴じ紐と留め具との個別構成での不特性多数の非結束体の結滞が出来る綴じ紐用留め具を提供出来る。【００１４】次に請求項３で述べるよう前期する留め具をＡＢＳ等の合成樹脂材からクッション性のある伸縮自在でなるウレタンゴム等の材質にすることで、溝部に差し込まれる繊維材系綴じ紐が弾発力の助勢で強硬な結滞の出来る綴じ紐用留め具を提供出来る。【００１５】また請求項４で述べるように前期する綴じ紐の繊維材系をクッション性の伸縮自在でなるウレタンゴム等の材質にすることで、溝部に差し込まれる綴じ紐が非結束体を締め付け結滞が出来、更に此れらの結びにくく直ぐ解けがちなウレタンゴムなどでも安直に強硬な結滞の出来る綴じ紐用留め具を提供出来る。
【考案を実施するための最良の形態】
【００１６】以下に図示の実施例に基づいて本考案を更に詳細に説明する。
図１、図２、図３は本考案での第一実施例での全体斜視図で、即ち紐状でなる綴じ紐１は多くは天然繊維材綿製に限らず合成繊維ポリエステルの様に耐薬品性、耐熱性に優れたものでテトロン、ダクロンなどでの合成材が主流で、書類を綴じるのに古くから広く使われる綴じ紐１を第一義に改良するに、これらの市販される綴じ紐１の所定の太さと長さでの片方の端部に合体する留め具１０１を具現化するもので、当該留め具１０１はＡＢＳ等の合成樹脂成型品で、棒状の紐固定部２と留め部３との一片から成り、該紐固定部２の側面に開口する穴２ａに綴じ紐１の端部を差し込み固定し、留め部３には、その片面或いは両面に位置して綴じ紐１の他方の端子１ａがやや固めに嵌め込みと取り外し自在に細長い溝部３ａを設け、其の溝端部３ｃに近接してロック穴３ｂ開口する留め具１０１を構成する。【００１７】此れらの留め具１０１は書類を綴じる為に開けた綴じ穴Ａに楽々差し込める太さの形状での実施例をあげるが、綴じ紐１と留め具１０１のサイズを変えることで、広く多くの多様な非結束体Ｃの結滞に転用が出来る、又紐固定部２と綴じ紐１のは端部の一体化も図示での結び留めに特定するものでなく、接着剤や留めリング等で一体化することも出来し、又留め部３に設けた裏表の溝部３ａも片面の一本の溝部３ａでも目的は達成されるが、ロック穴３ｂに差し込んで折り返しする綴じ紐１の紐固定部２との安定接合は裏と表の溝部３ａが最適であると考える。【００１８】次に本考案での第二実施例で、図３（ａ）は本考案の全体を示す斜視図で、（ｂ）はその要部での断面図を示し、更に図４においては此れらの一使用例の斜視図である。前期第一実施例では綴じ紐１が留め具１０１と常時一体化での構成形態とするが、此れら留め具１０１′が綴じ紐１′から分離され、非結束体Ｃは任意の紐１′の長さで結滞するのに使用されるる仕込みとする。【００１９】尚本実施例では留め具１０１′はＡＢＳ合成樹脂成型品の四角形状で片面に２本並列する溝部３３ａを設け、此れら溝底部３３ｄの略中央に綴じ紐１′が楽々通せるロック穴３３ｂが開口し、溝部３３ａの双方は綴じ紐１′の太さよりやや細目の幅にし綴じ紐１′が差し込まれホールドしロックとアンロック自在での構成とし、図２（ｂ）断面図で示すようにロック穴３３ｂに差し込まれた綴じ紐１が折り曲げられ溝部３３ａに固めに嵌め込まれ綴じ紐１′は溝部３３ａから外さない限りロック穴３３ｂから抜けることのない構成である。【００２０】次に第三実施例においては、前記する綴じ紐１と一体化での留め具１０１、且つ綴じ紐１′と個別する留め具１０１′の材質をＡＢＳ樹脂での合成樹脂品をクッション性で伸縮自在でのポリウレタン等のゴム系の材質にする構成で、此れらの材質にする事で綴じ紐１、１′の嵌め込まれる留め具１０１、１０１′に設けた溝部３ａ、３３ａとの挟着力がゴム質の弾発力の働きで、溝部３ａ、３３ａの幅と綴じ紐１、１′の太さとのギャップを大きくとれる事、或いは非結束体の結滞を強力に出来る等を可能にしてるし、更には繰り返し着脱耐久を良くする等を狙いとする構成である。【００２１】次にまた第四実施例例においては、前記する綴じ紐１、１′の繊維材系材質である天然繊維材綿製や合成繊維ポリエステル等からクッション性で伸縮自在でのポリウレタン等のゴム系の材質にする構成で、此れらの綴じ紐１、１にする事で非結束体Ｃの巻き付け圧が強力で且つ結びに難のある此れらを使っての安直な留め具１０１、１０１′が具現している。
【図面の簡単な説明】
【００２２】
【図１】本考案に係わる第一実施例での全体斜視図である。
【図２】本考案に係わる第一実施例での使用例の斜視図である。
【図３】本実施に係わる第一実施例での使用例の全体斜視図である。
【図４】図中（ａ）は第二実施例での全体斜視図である。  図中（ｂ）は第二実施例での要部の断面図である。
【図５】本考案に係わる第二実施例での使用例の斜視図である。
【図６】従来技術での一使用例での全体斜視図である。
【符号の説明】
【００２３】Ａ                    綴じ穴
Ｂ                    書類
Ｃ                    非結束体
１、１′、１″        綴じ紐
１ａ、１ａ′、１ａ″  端子
２                    紐固定部
２ａ                  穴
３                    紐留め部
３ａ、３３ａ          溝部
３ｂ、３３ｂ          ロック穴
３ｃ                  溝端部
３３ｄ                溝底部
１０１、１０１′      留め具
【図１】
0003119073.tif 000003
【図２】
0003119073.tif 000004
【図３】
0003119073.tif 000005
【図４】
0003119073.tif 000006
【図５】
0003119073.tif 000007
【図６】
0003119073.tif 000008